【手続補正書】
【提出日】平成18年4月4日(2006.4.4)
【手続補正１】
【補正対象書類名】明細書
【補正対象項目名】特許請求の範囲
【補正方法】変更
【補正の内容】
【特許請求の範囲】
【請求項１】  音場を表す複数のオーディオ流れを符号化された信号に符号化し、かつ前記符号化された信号を復号する低ビットレート空間符号化装置であって、該装置はエンコーダ及びデコーダを含み、前記エンコーダは、
前記複数のオーディオ流れに応答して複数のサブバンド信号を発生させるサブバンド信号発生器であって、各サブバンド信号が各々の前記オーディオ流れの各々の周波数バンドを表し、
各々の周波数サブバンドのサブバンド信号の組合せを表す合成信号を発生させる信号結合器と、
各々のサブバンドの前記音場の主方向を示す前記合成信号のためにステアリング制御信号を発生させる音場方向検出器と、
前記合成信号及び前記ステアリング制御信号にビットを割当てることによって符号化された情報を発生させるエンコーダ及びビット割当器と、
前記符号化された情報を符号化された信号にアセンブルするフォーマッタを含み、
前記デコーダは、
前記符号化された信号から合成信号及びステアリング制御信号を得るデフォーマッタと、
前記合成信号及び前記ステアリング制御信号に応答してサブバンド信号を得る逆サブバンド発生器と、
前記デコーダの出力チャンネル数及び各々の出力チャンネルと接続されたサウンドトランスジューサの位置又は仮想位置を示す情報入力装置であって、３又はそれ以上の出力チャンネルが存在する情報入力装置と、
前記サブバンド信号及び再生情報に応答してあらゆる瞬間において２を越えない出力チャンネルにオーディオ流れを発生させる信号発生器を含む、
低ビットレート空間符号化装置。
【請求項２】  さらに、前記デコーダの出力チャンネルと結合され、かつ空間符号化スイートスポット聴取領域内の一人又はそれ以上の聴取者に前記音場の聴覚類似性を発生させるように配列された複数のサウンドトランスジューサを含む請求項１の低ビットレート空間符号化装置。
【請求項３】  さらに前記出力チャンネルのオーディオ流れを処理する音響クロスフィード相殺器を含む空間化器を含み、該空間化器は、サウンドトランスジューサと結合される場合、原数の出力チャンネルがより多数のサウンドトランスジューサと結合されたならば、結果的に生じたかも知れないものと類似の音場の聴覚印象を与えるような特性のオーディオ流れを有する低減された数の出力チャンネルを与える請求項１又は２の装置。
【請求項４】  前記ステアリング制御信号が各サブバンドにつき方向ベクトルを含む請求項１又は２の装置。
【請求項５】  前記各々の周波数サブバンドが人の聴覚システムの各々臨界帯域と同等の帯域幅を有する請求項１又は２の装置。
【請求項６】  前記ビットが心理音響学的原理により割当てられる、請求項１又は２の装置。
【請求項７】  さらに、前記デコーダが前記出力チャンネルのオーディオ流れを処理する音響クロスフィード相殺器を含む空間化器を含み、それによって該空間符号化スイートスポット聴取領域内で作り出される前記音場の聴覚類似性がワイドステージ又はサラウンドサウンド音場の知覚を与える請求項２の装置。
【請求項８】  複数のオーディオ流れに応答して複数のサブバンド信号を発生させることによって、音場を表わす複数のオーディオ流れから得られる符号化された信号を復号する低ビットレート空間符号化装置で用いられるデコーダにおいて、各サブバンド信号が、各々の前記オーディオ流れの各々の周波数サブバンドを表わし、各々の周波数サブバンド内のサブバンド信号の組合せを表わす合成信号を発生させ、各々のサブバンド内の前記音場主方向を示す該合成信号用のステアリング信号を発生させ、該合成信号及び該ステアリング制御信号にビットを割当てることによって符号化された情報を発生させ、該符号化された情報を符号化された信号にアセンブルする低ビットレート空間符号化装置用デコーダであって、
前記符号化された信号から該合成信号及びステアリング制御信号を得るデフォーマッタと、
前記合成信号及び前記ステアリング制御信号に応答してサブバンド信号を得る逆サブバンド発生器と、
前記デコーダの出力チャンネル数及び各々の出力チャンネルと接続されたサウンドトランスジューサの位置又は仮想位置を示す情報入力装置であって、３つ又はそれ以上の出力チャンネルが存在する情報入力装置と、
前記サブバンド信号及び再生情報に応答してあらゆる瞬間において２つを越えない出力チャンネルにオーディオ流れを発生させる信号発生装置とを含む
低ビットレート空間符号化装置用デコーダ。
【請求項９】さらに、前記サブバンド信号及び再生情報に応答して、一又はそれ以上のチャンネルにオーディオ流れを発生させる信号発生器と、
前記デコーダの出力チャンネルと結合され、かつ空間符号化スイートスポット聴取領域内の一人又はそれ以上の聴取者に前記音場の聴覚類似性を発生させるように配列される、複数のサウンドトランスジューサを含む請求項８の低ビットレート空間符号化装置用デコーダ。
【請求項１０】  さらに、前記出力チャンネルのオーディオ流れを処理する音響クロスフィード相殺器を含む空間化器を含み、該空間化器は、サウンドトランスジューサと結合される場合、原数の出力チャンネルがより多数のサウンドトランスジューサと結合されたならば結果的に生じたかも知れないものと類似の音場の聴覚印象を与えるような特性のオーディオ流れを有する低減された数の出力チャンネルを与える、請求項８または９のデコーダ。
【請求項１１】  前記ステアリング制御信号が各サブバンドにつき方向ベクトルを含む、請求項８または９のデコーダ。
【請求項１２】  前記各々の周波数サブバンドが人の聴覚システムの各々臨界帯域と同等の帯域幅を有する、請求項８または９のデコーダ。
【請求項１３】  前記ビットが心理音響学的原理により割当てられる、請求項８または９のデコーダ。
【請求項１４】  さらに前記デコーダが前記出力チャンネルのオーディオ流れを処理する音響クロス-フィード相殺器を含む空間化器を含み、それによって該空間符号化スイートスポット聴取領域内で作り出される前記音場の聴覚類似性が、ワイドステージ又はサラウンドサウンド音場の知覚を与える、請求項８または９のデコーダ。
【請求項１５】  音場を表す複数のオーディオ流れを符号化された信号にしかつ前記符号化された信号を復号する、符号化及び復号化を含む低ビットレート空間符号化方法であって、前記符号化は、
前記複数のオーディオ流れに応答して複数のサブバンド信号を発生させ、各サブバンド信号が前記各々のオーディオ流れの各々の周波数サブバンド帯域を表わし、
各々の周波数サブバンドのサブバンド信号の組合せを表わす合成信号を発生させ、
各々のサブバンドで前記音場の主方向を示す前記合成信号用のステアリング制御信号を発生させ、
前記合成信号及び前記ステアリング制御信号にビットを割当てることによって符号化された情報を発生させ、
前記符号化された情報を符号化された信号にアセンブルすることを含み、
前記復号化は、
前記符号化された信号から該合成信号及びステアリング制御信号を得、
前記合成信号及び前記ステアリング制御信号に応答してサブバンド信号を得、
３つ又はそれ以上の出力チャンネルを有する前記デコーダの出力チャンネル数及び該各々の出力チャンネルと接続されたサウンドトランスジューサの位置又は仮想位置を表示する再生情報を供給し、
前記サブバンド信号及び再生情報に応答してあらゆる瞬間において２つを超えない出力チャンネルにオーディオ流れを発生させることを含む
低ビットレート空間符号化方法。
【請求項１６】  さらに、前記出力チャンネルを、空間符号化スイートスポット聴取領域内の一人又はそれ以上の聴取者に前記音場の聴覚的類似性を発生させるように配列される複数のサウンドトランスジューサに結合させることを含む請求項１５の方法。
【請求項１７】  さらに、音響クロスフィールド相殺器を含む空間化器により前期出力チャンネルのオーディオ流れを処理することを含み、前記処理は、サウンドトランスジューサと結合される場合、原数の出力チャンネルがより多数のサウンドトランスジューサと結合されたならば結果的に生じたかも知れないものと類似の音場の聴覚印象を与えるような特性のオーディオ流れを有する低減された数の出力チャンネルを与える請求項１５または１６の方法。
【請求項１８】  前記ステアリング制御信号が各サブバンドにつき方向ベクトルを含む、請求項１５または１６の方法。
【請求項１９】  前記各々の周波数サブバンドが人の聴覚システムの各々の臨界帯域と同等の帯域幅を有する、請求項１５または１６の方法。
【請求項２０】  前記ビットが心理音響学的原理により割当てられる、請求項１５または１６の方法。
【請求項２１】  さらに、前記デコーダが音響クロスフィールド相殺器を含む空間化器により前期出力チャンネルのオーディオ流れを処理することを含み、前記処理は、該空間符号化スイートスポット聴取領域内で作り出された前記音場の聴覚類似性が、ワイドステージ又はサラウンドサウンド音場の知覚を与える、請求項１６の方法。
【請求項２２】  複数のオーディオ流れに応答して複数のサブバンド信号を発生させることによって、音場を表わす該複数のオーディオ流れから得られる符号化された信号を復号する低ビットレート空間符号化/復号化方法であって、各サブバンド信号が、前記各々のオーディオ流れの各々の周波数サブバンドを表わし、各々の周波数サブバンド内のサブバンド信号の組合せを表わす合成信号を発生させ、各々のサブバンド内の前記音場主方向を示す該合成信号用のステアリング制御信号を発生させ、該合成信号及び該ステアリング制御信号にビットを割当てることによって符号化された情報を発生させ、該符号化された情報を符号化された信号にアセンブルする低ビットレート空間符号化/復号化方法であって、該方法は、
前記符号化された信号から該合成信号及びステアリング制御信号を得、
前記合成信号及び前記ステアリング制御信号に応答してサブバンド信号を得、
３つ又はそれ以上の出力チャンネルを有する前記デコーダの出力チャンネル数及び各々の出力チャンネルと接続されたサウンドトランスジューサの位置又は仮想位置を表示する再生情報を供給し、
前記サブバンド信号及び再生情報に応答してあらゆる瞬間において２つを超えない出力チャンネルにオーディオ流れを発生させる
ことを含む低ビットレート空間符号化/復号化方法。
【請求項２３】  さらに、複数のサウンドトランスジューサを前記デコーダの出力チャンネルと結合させ、サウンドトランスジューサは、空間符号化スイートスポット聴取領域内の一人又はそれ以上の聴取者に前記音場の聴覚類似性を発生させるように配列されることを含む請求項２２の方法。
【請求項２４】  さらに、音響クロスフィールド相殺器を含む空間化器により前記出力チャンネルのオーディオ流れを処理することを含み、前記処理は、サウンドトランスジューサと結合される場合、原数の出力チャンネルがより多数のサウンドトランスジューサと結合されたならば結果的に生じたかも知れないものと類似の音場の聴覚印象を与えるような特性のオーディオ流れを有する低減された数の出力チャンネルを与える請求項２２または２３の方法。
【請求項２５】  前記ステアリング制御信号が各サブバンドにつき方向ベクトルを含む、請求項２２または２３の方法。
【請求項２６】  前記各々の周波数サブバンドが人の聴覚システムの各々の臨界帯域と同等の帯域幅を有する、請求項２２または２３の方法。
【請求項２７】  前記ビットが心理音響学的原理により割当てられる、請求項２２または２３の方法。
【請求項２８】  さらに、音響クロスフィールド相殺器を含む空間化器により前期出力チャンネルのオーディオ流れを処理することを含み、それによって該空間符号化スイートスポット聴取領域内で作り出された前記音場の聴覚類似性が、ワイドステージ又はサラウンドサウンド音場の知覚を与える請求項２３の方法。
【請求項29】複数のオーディオ信号流れを受取るデジタル空間オーディオ符号化/復号化方法であり、その各々は各一つの入力チャンネル、及び各々の入力チャンネルの意図される方向を表し、入力チャンネルは音場を表し、該方法は、
音場オーディオ情報、及び音場の局限化情報を表す符号化信号を発生させることを含み、該発生させることは、前記オーディオ信号流れに応答して周波数サブバンド信号を発生させることを含み、
符号化された信号に応答して、複数の出力チャンネルを発生させ、該出力チャンネルは、オーディオ流れがサウンドトランスジューサと結合される場合、トランスジューサ、及びそれらの間の空間に限定されることがない音場の心理音響学的効果をもたらす特性のオーディオの流れを含む、
デジタル空間オーディオ符号化/復号化方法。
【請求項３０】前記局限化情報が方向情報を含む請求項２９の方法。
【請求項３１】前記方向情報が単位ベクトルとして表される請求項３０の方法。
【請求項３２】前記オーディオ情報が合成オーディオ情報信号を含む請求項２９から３１のいずれかの方法。
【請求項３３】符号化された信号に応答して、出力チャンネルを作り出すデジタル空間オーディオ復号化方法であって、該方法は、
複数のオーディオ流れを受取る符号化方法により作り出される符号化信号を受取ることを含み、各オーディオ流れは入力チャンネル、及び入力チャンネルの各々の意図される方向を表し、入力チャンネルは音場を表し、符号化信号は音場オーディオ情報及び音場局限化情報を表し、符号化方法は前記オーディオ信号流れに応答して、周波数サブバンドを発生させることを含み、
符号化された信号に応答して、複数の出力チャンネルを発生させ、出力チャンネルは、オーディオの流れがサウンドトランスジューサと結合される場合、トランスジューサ、及びそれらの間の空間に限定されることがない音場の心理音響学的効果をもたらす特性のオーディオの流れを含む、
デジタル空間オーディオ復号化方法。
【請求項３４】前記発生させるために、デジタルフィルターまたは離散変換によって実施される逆フィルターバンクを用いる請求項33の方法。
【請求項３５】前記受取ることには、また出力チャンネルサウンドトランスジューサの仮想空間配置に関する情報を受取り、また前記発生させることには、そのような情報に対応して出力チャンネルを発生させることを含む、請求項３３または３４のいずれかの方法。
【請求項３６】前記局限化情報が、方向情報を含む請求項３３から３５のいずれかの方法。
【請求項３７】前記方向情報が、単位ベクトルとして表される請求項３６の方法。
【請求項３８】前記オーディオ情報が、合成オーディオ情報信号を含む請求項３３から３７のいずれかの方法。
【請求項３９】複数のオーディオ信号流れを受取るデジタル空間オーディオ符号化/復号化装置であり、その各オーディオ信号流れは各一つの入力チャンネル、及び各々の入力チャンネルの意図される方向を表し、入力チャンネルは音場を表し、該装置は、
音場オーディオ情報及び音場局限化情報を表す符号化された信号を発生させるのに適合したエンコーダであって、該エンコーダは前記オーディオ信号流れに応答して周波数サブバンド信号を発生させる手段を持つエンコーダと、
符号化された信号に応答して、複数のチャンネルを発生させ、該出力チャンネルは、オーディオ流れがサウンドトランスジューサと結合される場合、トランスジューサ及びそれらの間の空間に限定されることがない音場の心理音響学的効果をもたらす特性のオーディオ流れを有する出力チャンネルを発生させることに適しているデコーダを含む、
デジタル空間オーディオ符号化/復号化装置。
【請求項４０】前記局限化情報が方向情報を含む請求項２９の装置。
【請求項４１】前記方向情報が単位ベクトルとして表される請求項３０の装置。
【請求項４２】前記オーディオ情報が、合成オーディオ情報信号を含む請求項２９から３１のいずれかの装置。
【請求項４３】符号化された信号に応答して、出力チャンネルを作り出す請求項３９の装置に用いられるデジタル空間オーディオデコーダであって、該デコーダは、
請求項３９の前記エンコーダにより作り出される符号化された信号を受取るための手段を含み、該エンコーダは、またオーディオ信号流れに応答して周波数サブバンド信号を発生させ、
符号化された信号に応答して、出力チャンネルを発生させることに適合した復号化する手段であって、オーディオ流れがサウンドトランスジューサと結合される場合、トランスジューサ及びそれらの間の空間に限定されることがない音場の心理音響学的効果をもたらす特性のオーディオ流れを有する出力チャンネルを発生させることに適合した復号化する手段を含む
デジタル空間オーディオデコーダ。
【請求項４４】前記デコーダが、デジタルフィルターまたは離散変換によって実施される逆フィルターバンクを用いる請求項４３のデコーダ。
【請求項４５】前記受取る手段は、また出力チャンネルサウンドトランスジューサの仮想空間配置に関する情報を受取ることに適合し、前記復号化する手段は、またそのような情報に応答して出力チャンネルを発生させるのに適合している請求項４３、または４４のいずれかのデコーダ。
【請求項４６】前記局限化情報が、方向情報を含む請求項４３から４５のいずれかのデコーダ。
【請求項４７】前記方向情報が、単位ベクトルとして表される請求項４６のデコーダ。
【請求項４８】前記オーディオ情報が、合成オーディオ情報信号を含む請求項４３から４７のいずれかのデコーダ。